【手続補正書】
【提出日】平成16年8月23日(2004.8.23)
【手続補正１】
【補正対象書類名】明細書
【補正対象項目名】特許請求の範囲
【補正方法】変更
【補正の内容】
【特許請求の範囲】
【請求項１】
図柄を含む遊技情報を表示する表示手段と、
所定の始動信号の入力に基づいて、前記表示手段によって表示させる図柄を複数種類の図柄の中から選択する図柄選択手段と、
所定の始動信号の入力に基づいて、大当りかはずれかの抽選を行う大当り抽選手段と、
該大当り抽選手段による抽選の結果、大当りであるとき、所定の大当り遊技を提供する大当り遊技提供手段と、
所定の移行条件が満足された場合に、遊技状態を通常の遊技状態である通常遊技状態から該通常遊技状態よりも遊技者にとって有利な遊技状態である特別遊技状態に移行する一方、所定の終了条件が満足された場合には、該特別遊技状態を終了し、遊技状態を前記特別遊技状態から前記通常遊技状態に戻す遊技状態移行手段と、を備えた遊技機であって、
前記遊技状態移行手段により遊技状態が前記特別遊技状態から前記通常遊技状態に戻された後、所定期間が経過するまでの間に前記移行条件が満たされたことを検出する検出手段と、
該検出手段により前記移行条件が満たされたことが検出された際、遊技状態が前記特別遊技状態から前記通常遊技状態に戻された以降の所定期間内に再び前記特別遊技状態に移行されるという遊技状態の移行を報知する報知手段と、を備えている
ことを特徴とする遊技機。
【請求項２】
前記報知手段は、遊技状態が前記通常遊技状態に戻された以降の所定期間内に再び前記特別遊技状態に移行されるという遊技状態の移行を示す画像を前記表示手段によって表示させる
ことを特徴とする請求項１に記載の遊技機。
【手続補正２】
【補正対象書類名】明細書
【補正対象項目名】０００８
【補正方法】変更
【補正の内容】
【０００８】
上記問題を解決するため請求項１に記載の遊技機は、
図柄を含む遊技情報を表示する表示手段と、所定の始動信号の入力に基づいて、前記表示手段によって表示させる図柄を複数種類の図柄の中から選択する図柄選択手段と、所定の始動信号の入力に基づいて、大当りかはずれかの抽選を行う大当り抽選手段と、該大当り抽選手段による抽選の結果、大当りであるとき、所定の大当り遊技を提供する大当り遊技提供手段と、所定の移行条件が満足された場合に、遊技状態を通常の遊技状態である通常遊技状態から該通常遊技状態よりも遊技者にとって有利な遊技状態である特別遊技状態に移行する一方、所定の終了条件が満足された場合には、該特別遊技状態を終了し、遊技状態を前記特別遊技状態から前記通常遊技状態に戻す遊技状態移行手段と、を備えた遊技機であって、前記遊技状態移行手段により遊技状態が前記特別遊技状態から前記通常遊技状態に戻された後、所定期間が経過するまでの間に前記移行条件が満たされたことを検出する検出手段と、該検出手段により前記移行条件が満たされたことが検出された際、遊技状態が前記特別遊技状態から前記通常遊技状態に戻された以降の所定期間内に再び前記特別遊技状態に移行されるという遊技状態の移行を報知する報知手段と、を備えていることを特徴とする。
【手続補正３】
【補正対象書類名】明細書
【補正対象項目名】０００９
【補正方法】変更
【補正の内容】
【０００９】
このように構成された遊技機、即ち、大当り抽選手段による抽選の結果、大当りであるときに所定の大当り遊技を大当り遊技提供手段により提供する遊技機によれば、特別遊技状態が終了して所定期間が経過するまでの間に、移行条件が満たされて遊技状態が特別遊技状態に移行されると、再び特別遊技状態に移行されるという遊技状態の移行が報知手段によって報知される。つまり、報知手段は、特別遊技状態が終了した後、再度、遊技状態が特別遊技状態に戻ったこと（以降、「特別遊技状態の引き戻し」とする）を報知することになる。こうして、「特別遊技状態の引き戻し」に対して報知するという演出を行うことによって、遊技に対する興趣を向上させることができる。
【手続補正４】
【補正対象書類名】明細書
【補正対象項目名】００１５
【補正方法】変更
【補正の内容】
【００１５】
ところで、報知手段によって「特別遊技状態の引き戻し」を報知するための具体的な構成としては、例えば、請求項２に記載のように、前記報知手段は、遊技状態が前記通常遊技状態に戻された以降の所定期間内に再び前記特別遊技状態に移行されるという遊技状態の移行を示す画像を前記表示手段によって表示させるように構成すればよい。
【手続補正５】
【補正対象書類名】明細書
【補正対象項目名】００１６
【補正方法】変更
【補正の内容】
【００１６】
このように構成された遊技機によれば、特別遊技状態が終了して所定期間が経過するまでの間に、移行条件が満たされて遊技状態が特別遊技状態に移行されると、再び特別遊技状態に移行されるという遊技状態の移行を示す画像が表示手段によって表示される。つまり、表示手段は、特別遊技状態が終了した後、再度、遊技状態が特別遊技状態に戻ったこと（「特別遊技状態の引き戻し」）を画像の表示によって報知することになる。こうして、「特別遊技状態の引き戻し」に対し、「特別遊技状態の引き戻し」が達成された旨を示す画像を表示するという演出を行うことによって、遊技に対する興趣を向上させることができる。
【手続補正６】
【補正対象書類名】明細書
【補正対象項目名】００２９
【補正方法】変更
【補正の内容】
【００２９】
まず、ｓ１０１の処理において、ＣＰＵ８２に入賞センサ３６からの検出信号が入力されたか否かが判断され、即ち、遊技球が可変入賞装置３０に入賞した否かが判断される。つまり、ＣＰＵ８２は、遊技に伴って遊技球が可変入賞装置３０に入賞するまで待機し（ｓ１０１：ＮＯ）、遊技球が可変入賞装置３０に入賞したら（ｓ１０１：ＹＥＳ）、次の処理に進み、通常の大当り確率（本実施形態では、１／３１５．５としている）に基づいて、大当りかはずれかの抽選を行う（ｓ１０２）。この処理においては、大当りかはずれかの抽選が所定の乱数に基づいて行われると共に、抽選結果が大当りであれば、複数種類の大当り図柄のうちいずれかの大当り図柄が選択され、抽選結果がはずれであれば、複数種類のはずれ図柄のうちいずれかのはずれ図柄が選択される。
【手続補正７】
【補正対象書類名】明細書
【補正対象項目名】００４５
【補正方法】変更
【補正の内容】
【００４５】
まず、ｓ２０１の処理において、ＣＰＵ８２に入賞センサ３６からの検出信号が入力されたか否かが判断され、即ち、遊技球が可変入賞装置３０に入賞した否かが判断される。つまり、ＣＰＵ８２は、遊技に伴って遊技球が可変入賞装置３０に入賞するまで待機し（ｓ２０１：ＮＯ）、遊技球が可変入賞装置３０に入賞したら（ｓ２０１：ＹＥＳ）、次の処理に進み、通常の大当り確率よりも高い大当り確率（本実施形態においては、大当りの選ばれる確率１／６３）に基づいて、大当りかはずれかの抽選を行う（ｓ２０２）。この処理においては、図１０におけるｓ１０２の処理と同様に、大当りかはずれかの抽選が行われると共に、抽選結果が大当りであれば、複数種類の大当り図柄のうちいずれかの大当り図柄が選択され、抽選結果がはずれであれば、複数種類のはずれ図柄のうちいずれかのはずれ図柄が選択される。
【手続補正８】
【補正対象書類名】明細書
【補正対象項目名】００６１
【補正方法】変更
【補正の内容】
【００６１】
まず、ＣＰＵ８２は、変数Ｎを初期化（５５→Ｎ）した後（ｓ３０１）、ｓ３０２の処理において、ＣＰＵ８２に入賞センサ３６からの検出信号が入力されたか否かが判断され、即ち、遊技球が可変入賞装置３０に入賞した否かが判断される。つまり、ＣＰＵ８２は、遊技に伴って遊技球が可変入賞装置３０に入賞するまで待機し（ｓ３０２：ＮＯ）、遊技球が可変入賞装置３０に入賞したら（ｓ３０２：ＹＥＳ）、次の処理に進み、通常の大当り確率（１／３１５．５）に基づいて、大当りかはずれかの抽選を行う（ｓ３０３）。この処理においては、図１０（または、図１２）におけるｓ１０２（または、ｓ２０２）の処理と同様に、大当りかはずれかの抽選が行われると共に、抽選結果が大当りであれば、複数種類の大当り図柄のうちいずれかの大当り図柄が選択され、抽選結果がはずれであれば、複数種類のはずれ図柄のうちいずれかのはずれ図柄が選択される。
【手続補正９】
【補正対象書類名】明細書
【補正対象項目名】００８１
【補正方法】変更
【補正の内容】
【００８１】
また、図１２について、ｓ２０２の処理は本発明における大当り抽選手段および図柄選択手段、ｓ２１３の処理は本発明における大当り遊技提供手段、ｓ２１８の処理は本発明における遊技状態移行手段である。
また、図１３について、ｓ３０３の処理は本発明における大当り抽選手段および図柄選択手段、ｓ３１４の処理は本発明における大当り遊技提供手段、ｓ３１８の処理は本発明における検出手段、ｓ３２１の処理およびｓ３２６の処理は本発明における遊技状態移行手段である。